(57)【要約】【課題】旅行者の旅行の状況をその関係者が知ることができるとともに、関係者と旅行者が相互にコミュニケーションできる団体旅行における旅行者表示システムを提供する。【解決手段】団体旅行の旅行者の旅行状況を表示するシステムは、ネットワークに接続された団体旅行サーバと、学校側クライアントＰＣと、クライアントＰＣとを含む。団体旅行サーバのホームページには旅行者を撮影した画像を表示する領域５４と、画像に関連したコメントを表示する領域５５ａ、５５ｂとを含み、旅行者自身は所定のクライアントを用いて領域５５ａに、旅行者以外の者はクライアントＰＣを用いて領域５５ｂに所望のコメントの書き込みが可能である。【選択図】　　　　図７
2004139468.tif 000002
【特許請求の範囲】
【請求項１】
ネットワークに接続されたサーバおよびクライアントを用いて団体旅行の旅行者の旅行状況を表示するシステムであって、
前記サーバは
前記旅行者を撮影した画像を表示する第１領域と、
前記画像に関連したコメントを表示する第２領域とを含み、
前記旅行者以外の者は前記クライアントを用いて前記第２領域に所望のコメントの書き込みが可能である、団体旅行における旅行者表示システム。
【請求項２】
前記クライアントは画像の撮影が可能であり、前記旅行者は前記クライアントを使用して画像を撮影し、前記第１領域に表示するために前記サーバへアップロードする、請求項１に記載の団体旅行における旅行者表示システム。
【請求項３】
コンピュータに対して、
所定の団体旅行における旅行者を撮影した画像のアップロードを受け付けるステップと、
アップロードされた画像をホームページ上の第１の領域に表示するステップと、
前記第１の領域に表示された画像に対して、前記旅行者の関係者からのコメントを受け付けるステップと、
前記受け付けたコメントを前記第１の領域に隣接する第２の領域に表示するステップと、
前記第１および第２の領域が表示されたホームページをネットワークを介して公開するステップとを実行させる、プログラム。
【発明の詳細な説明】
【０００１】
【発明の属する技術分野】
この発明は修学旅行を含む団体旅行において、その旅行者の旅行状況を表示する団体旅行における旅行者表示システムおよびプログラムに関し、特に旅行者以外の家族らも旅行者と交信ができる団体旅行における旅行者表示システムおよびプログラムに関する。
【０００２】
【従来の技術】
この発明に興味のあるインターネットを利用した修学旅行アルバム掲載システムが下記の特許文献１に開示されている。
【０００３】
特許文献１によれば修学旅行中の行き先々での様子を、その場からインターネット経由でホームページとして掲載し、それを速報として親や旅行に行っていない学校関係者に見せることを目的としている修学旅行アルバム掲載システムが開示されている。
【０００４】
【特許文献１】
特開２００２−２７９０３０号公報（段落番号０００５、図１）
【０００５】
【発明が解決しようとする課題】
従来の修学旅行のような団体旅行においては上記のようなシステムが提供されていた。
【０００６】
しかしながら、特許文献１のようなシステムでは、旅行者である生徒の親やその関係者は生徒の様子を知ることはできるが、子供に対して、自分の経験に基づくコメントを提供して子供とコミュニケーションを図るということはできなかった。
【０００７】
また、特許文献１では風景や生徒たちを撮影するのは学校の担当者であり、画一的な画像しか親や関係者に提供されないという問題があった。
【０００８】
この発明は上記のような問題点を解決するためになされたもので、旅行者の旅行の状況をその関係者が知ることができるとともに、関係者と旅行者が相互にコミュニケーションできる団体旅行における旅行者表示システムおよびプログラムを提供することを目的とする。
【０００９】
【課題を解決するための手段】
この発明はネットワークに接続されたサーバおよびクライアントを用いて団体旅行の旅行者の旅行状況を表示するシステムである。サーバは旅行者を撮影した画像を表示する第１領域と、画像に関連したコメントを表示する第２領域とを含み、旅行者以外の者はクライアントを用いて第２領域に所望のコメントの書き込みが可能である。
【００１０】
この発明によれば、修学旅行のような団体旅行において、旅行者の写真等の画像をサーバのホームページの第１の領域で公開する。公開された画像にはその画像に関するコメントを表示する第２領域が設けられる。親または関係者等は自分の子供等である生徒の写っている画像に対して第２領域にコメントの書き込みができるため、旅行者の旅行の状況をその関係者が知ることができるとともに、関係者と旅行者との間で相互にコミュニケーションができる。修学旅行であれば、生徒は親等のコメントをみて安心して旅行を続けることができる。
【００１１】
一般に修学旅行であれば、基本的にコースが決まっていることが多いため、子供が親等と共通の体験をもつことになる。この場合、親が、子供が自分の感銘を受けた場所等の、特定の場所にいる画像を見たとき、親自身の過去の体験を子供に伝えることによって、子供と親との間に会話の機会が増え、より家族の絆が強くなる。
【００１２】
ここで、「画像」は静止画像に限らず、動画（映像）であってもよい。また、映像としては、ライブ映像でもよい。また、コメントは音声データであってもよい。
【００１３】
旅行者の画像は、旅行の主催者側で撮影してもよいし、旅館、ホテル等と契約し、その従業員に撮影してもらってもよい。
【００１４】
好ましくは、第２領域は旅行者自身のコメントを表示する第３領域をさらに含む。
【００１５】
旅行の当事者である生徒も自分のコメントの書き込みができるため、生徒は旅行中も親等とのコミュニケーションを保つことができる。また、旅行の当事者である生徒からも書き込みを行えるため、生徒たち自身もより旅行を楽しむことができる。
【００１６】
旅行者は、クライアントを用いて第３領域にコメントを記載してもよい。クライアントは携帯電話であってもよいし、携帯パソコン等であってもよい。
【００１７】
さらに好ましくは、クライアントは画像の撮影が可能であり、旅行者はクライアントを使用して画像を撮影し、第１領域に表示するためサーバへアップロードする。
【００１８】
旅行者が撮影した画像がサーバの第１領域に表示されるため、様々な画像が親や関係者に提供される。
【００１９】
この発明の他の局面においては、ネットワークに接続された複数のクライアントを用いて団体旅行の旅行者の旅行状況を表示するシステムに用いられるサーバは、旅行者を撮影した画像を表示する第１領域と、画像に関連したコメントを表示する第２領域とを含み、旅行者以外の者はクライアントを用いて第２領域に所望のコメントの書き込みが可能である。
【００２０】
この発明のさらに他の局面においては、プログラムは、コンピュータに対して、画像のアップロードを受け付けるステップと、アップロードされた画像をホームページ上の第１の領域に表示するステップと、第１の領域に表示された画像に対するコメントを受け付けるステップと、受け付けたコメントを前記第１の領域に隣接する第２の領域に表示するステップと、第１および第２の領域が表示されたホームページをネットワークを介して公開するステップとを実行させる。
【００２１】
【発明の実施の形態】
以下この発明の実施の形態を図面を参照して説明する。図１は、この発明の一実施の形態にかかる団体旅行における旅行者表示システムの全体構成を示すブロック図である。ここでは、団体旅行の例として、修学旅行を例に挙げて説明する。
【００２２】
図１を参照して、団体旅行における旅行者表示システムは団体旅行サーバー（以下「サーバ」という場合がある）１１と、学校側クライアントパソコン（ＰＣ）１２と、携帯電話１３と通信機能を有するデジタルカメラ１４とクライアントＰＣ１５とを含み、これらがインターネット１８に接続されて、相互に交信可能である。インターネット１８を介して団体旅行サーバ１１に接続されている上記各機器をクライアントと呼ぶ。
【００２３】
団体旅行サーバ１１はホームページを有し、そこに後に説明する修学旅行のホームページが設けられ、修学旅行に参加した旅行者（生徒）の画像および／または映像（以下、「画像」という）を表示する。
学校側クライアントＰＣ１２は、修学旅行において学校が契約した専門のカメラマンまたは旅行社の担当者等の撮影した画像を学校の担当者がインターネット１８を介して、団体旅行サーバ１１にアップロードするために設けられている。
【００２４】
なお、この旅行者の画像の撮影は、旅館やホテル等と契約することにより、その従業員やアルバイトを雇って撮影してもよい。そうすれば、旅館等への到着時、夕食時、出発時等の主要なイベント時を確実に撮影できる。
【００２５】
修学旅行に参加している生徒の親およびその関係者はクライアントＰＣ１５を介して団体旅行サーバ１１にアクセスする。修学旅行に参加している生徒はカメラ機能付き携帯電話１３や通信機能付きデジタルカメラ１４を持ち、画像を撮影しそれをインターネット１８を介して団体旅行サーバ１１へ送信してもよい。なお、生徒がクライアントＰＣ１５を用いて団体旅行サーバ１１に送信しても良いし、生徒の親または関係者が携帯電話１３やデジタルカメラ１４を用いて団体旅行をサーバ１１にデータを送信してもよい。
【００２６】
なお、この実施の形態においては、団体旅行サーバ１１を有する業者と学校とが予め契約によって修学旅行の日程等についてホームページに登録をしているものとする。また、必要に応じて、学校側は学校固有のプロジェクト名およびそれに対応するパスワードを有しており、生徒の親等の関係者にもそのパスワードが知らされているものとする。
【００２７】
次に団体旅行サーバ１１について説明する。図２は団体旅行サーバ１１の構成を示すブロック製ある。図２を参照して団体旅行サーバ１１は、このサーバ１１全体を制御するＣＰＵ２１と、ＯＳ等を記憶するＲＯＭ２２と、データを一時記憶するＲＡＭ２３と、ＣＰＵ２１に接続され、入出力機器と接続するためのＩ／Ｏインターフェイス２４と、Ｉ／Ｏインターフェイス２４に接続され、後に説明するホームページを構成するプログラムやデータおよび画像データを記憶するハードディスクのような記憶装置２５と、ディスプレイ２６と、プリンタ２７と、インターネット１８に接続するためのモデム等の接続装置２８とを含む。
【００２８】
なお、クライアントＰＣ１５や学校側クライアントＰＣ１２も基本的に同じ構成を有する。
【００２９】
次に団体旅行サーバ１１のホームページである、旅行状況表示システムの画面表示例について図３を参照して説明する。図３はたとえば、学校側クライアントＰＣ１２によって団体旅行サーバ１１にアクセスしたときの画面表示例を示す図である。
【００３０】
まず、「旅行状況表示システム」という文言とともに、その学校の修学旅行に固有のプロジェクト番号とパスワードの入力が促される（Ａ）。このプロジェクト番号とパスワードとによって具体的な学校名が特定される。ここでは例えばＡ小学校の修学旅行とする。
【００３１】
次にその処理内容の問い合せ画面となる（Ｂ）。具体的には、画像およびコメントのアップロードであるか、画像およびコメントの閲覧であるかをたとえばラジオボタンで選択する。なお、画像のみ、またはコメントのみのアップロードであっても良い。
【００３２】
画像およびコメントのアップロードであれば、イベント名（例えば「列車乗車時」とか「昼食時」といった行事名）撮影日時およびその集合名（例えば１組、２組等）を入力する画面となる（Ｃ）。これらデータの入力後、データ送信ボタン３１を押すことによって団体旅行サーバ１１へデータ送信が行われる。
【００３３】
なお、イベント名や日時等の入力は上記のように入力画面を準備することなく、予め旅行の日程が決まっているため、それに応じて選択できるようにしても良い。そのような例を図４（Ａ）に示す。ここでは、予め定められた日程表にしたがって、イベント名が登録されており、そのイベント名の中から、任意のものをクリックすることによって選択できるようにしてもよい。
【００３４】
また、集合名も図４（Ｂ）に示すように、チェックボックス形式として、該当するものを選択させるようにしても良い。
【００３５】
次に生徒の親や関係者がクライアントＰＣ１５を用いて団体旅行サーバ１１にアクセスする場合の画面表示例について説明する。図５はそのような画面表示例を示す図である。図５を参照して、（Ａ）は団体旅行のサーバに最初にアクセスした時の表示画面例を示す図である。旅行状況として「修学旅行」または「その他団体旅行」のいずれかが選択できる。
【００３６】
ここで、「修学旅行」を選択すると（Ｂ）の画面になる。そこには現在修学旅行を行っており、現在ホームページに掲載されている学校名の一覧が表示される。生徒の親や関係者はここで所望の学校を選択する。ここではこのうち、Ａ小学校を選択したものとして説明する。
【００３７】
Ａ小学校を選択すると、次に「旅行日程」、「写真集」、「現在の状態」を選択する画面となる（Ｃ）。必要であれば、この前に、パスワードを入力させる画面を設けても良い。このパスワードは上記したように、修学旅行前に、生徒の親等の関係者に予め知らせておくものとする。
【００３８】
「旅行日程」をクリックすると旅行日程表が表示され、その中には各日ごとの予定（イベント）が表示されている。そのイベントをクリックすることによって、そのときに撮影された画像にアクセスすることができる。なお、画像としては、ライブ映像を用いてもよい。
「写真集」をクリックすると旅行中の各種イベント名が表示される。その中から所望のイベントを選択するとそのイベントに関した画像が表示される。
【００３９】
「現在の状況」をクリックすると現在の生徒たちの状況を示す画像が表示される。これは上記したライブ映像であってもよいし、最新の画像であってもよい。
【００４０】
これらのいずれかをクリックすると、図示は省略するが、クラス名の入力画面となる。そこで、所望のクラス名を入力する。
【００４１】
次にクラスを特定した場合の具体的な表示例について説明する。図６は図５（Ｃ）で「旅行日程」、「予定」から特定のイベントを選択した場合の画面表示例を示す図である。
【００４２】
図６を参照して、そこには選択された、Ａ小学校１組のイベント「夕食」における画像が複数表示されている。すなわち、表示画面はクラスおよびイベント特定領域５１と、画像表示領域５２と、コメント表示領域５３とからなる。
【００４３】
コメント表示領域５３は生徒のコメント領域５３ａと生徒の親や関係者の外部からのコメント表示領域５３ｂとを含む。生徒のコメント領域５３ａおよび外部からのコメント領域５３ｂにはここに表示された複数の画像（画像１〜８）に関係する、生徒からのコメントおよび外部からのコメントがまとめて表示される。
【００４４】
図７は図６の表示画面において親または関係者が画像１を選択した場合の画面表示例を示す図ある。図７を参照して、ここでは１枚の画像５４とそれに対する生徒たちのコメントを表示する生徒コメント欄５５ａと外部からのコメント欄５５ｂとを含む。なお、ここでコメント欄には音声を貼り付けてもよい。
【００４５】
次に上記した団体旅行サーバ１１の動作について説明する。図８は団体旅行サーバ１１の動作の要部を示すフローチャートである。図８を参照して、まず、契約者（たとえば上記したＡ小学校の修学旅行担当者）からホームページ上への画像のアップロードがあるか否かを判断する（ステップＳ１１、以下ステップを省略する）。アップロードがあるときは（Ｓ１１でＹＥＳ）、アップロード処理を行い（Ｓ１２）、画像データを受信する（Ｓ１３）。ここでアップロード処理とは、図３（Ｃ）のデータ送信処理を含む。
【００４６】
次いで受信データに基づいてホームページ上に画像を展開する（Ｓ１４）。次にコメントが送信されてきたか否かを判断する（Ｓ１５）。コメントの送信があれば（Ｓ１５でＹＥＳ）、それが生徒等の旅行者のものか、親や関係者等の外部の人からのものかを判断し、それぞれに応じて所定のコメント領域に記録する（Ｓ１６〜Ｓ１８）。
【００４７】
次に図８中にＳ１２で示したアップロード処理について説明する。図９はアップロード処理の処理内容を示すフローチャートである。図９を参照して、まず、プロジェクト番号およびパスワードが所定のものであるか否かを判断する（Ｓ２１）。プロジェクト番号およびパスワードが所定のものであるときは（Ｓ２１でＹＥＳ）、入力されたデータから学校名を特定し（Ｓ２２）、データに応じてフォルダの作成を行う（Ｓ２３）。
【００４８】
ここで、各フォルダには「学校名」、「クラス名」、「日時」、「イベント名」等の属性データが付与されるものとする。これらの属性データを用いて、所望の分類で区分された画像が表示される。
【００４９】
次に図８のＳ１４で示したホームページ上に展開する処理の内容について説明する。図１０はホームページ上に展開する処理の手順を示すフローチャートである。図１０を参照して、まず団体名を特定する（Ｓ３１）。ついで、所定の表示形態にしたがってアップロードされた画像が貼り付けられる（Ｓ３２）。具体的には、「クラス毎」、「イベント毎」、「旅程表毎」のいずれかの表示形態で表示されるものとする。なお、表示形態はこれらに限るものではない。
【００５０】
次にアップロード時のデータの構成について説明する。図１１はアップロード時のデータ構成を示す図である。図１１を参照して、学校側クライアントＰＣ１２等でアップロードされるデータ６０は学校名等の団体名を特定する団体名特定データと、「Ａ寺見学」とか「昼食」とかのイベントを特定するイベント名データと、撮影日／撮影場所を特定するデータと、クラス名等の集合を特定する集合名データと、画像／映像の区別をするデータと、個々の画像データとを含む。画像データはこれらの属性データとともに送信されるため、ホームページ上での展開は容易に行われる。
【００５１】
次に修学旅行に参加している生徒の親や関係者がホームページ上に表示された画像を見てそれにコメントを記入する場合の処理手順について説明する。図１２はそのような場合の処理手順を示すフローチャートである。
【００５２】
図１２を参照して、関係者がホームページ上の画像を見て、特定の画像にコメントをする場合について説明する。まず、コメントしようとする画像を図６に示した画面における画像番号によって特定する（Ｓ５１）。ついで送信者の属性を特定する。この場合は親または関係者であるので、親または関係者である旨を入力する（Ｓ５２）。次いでコメントを入力する（Ｓ５３）。
【００５３】
パスワードが必要であればそれを設定し（Ｓ５４、Ｓ５５）、作成後団体旅行サーバ１１へ送信する（Ｓ５６）。
【００５４】
以上は親または関係者の場合であるが、生徒たち、すなわち旅行の当事者が各画像にコメントできるようにしても良い。この場合も処理手順としては図１２と同じである。但し、Ｓ５２の属性入力においてコメント者の属性として親または関係者と異なり、生徒または先生といった属性を記入することになる。これらの入力は予め作成されたデータから選択できるようにしても良い。
【００５５】
上記実施の形態によれば、画像のアップロードは学校担当者等が行う例について説明したが、これに限らず、生徒がデジタルカメラ付き携帯電話１３や通信機能付きデジタルカメラ１４を用いて画像を団体旅行サーバ１１へアップロードするようにしてもよい。
【００５６】
上記実施の形態においては団体旅行として修学旅行を例にあげて説明したが、これに限らず、任意の団体旅行に適用できるのはいうまでもない。
【００５７】
また、上記実施の形態ではネットワークとしてインターネットを用いた場合について説明したがこれに限らず、閉じたネットワークを用いてもよい。
【００５８】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【００５９】
そのような変形例としては、次のものが挙げられる。
１．前記第２領域は前記旅行者自身のコメントを表示する第３領域をさらに含む、請求項１に記載の団体旅行における旅行者表示システム。
２．前記旅行者は、前記クライアントを用いて前記第３領域にコメントを記載する、上記１に記載の団体旅行における旅行者表示システム。
３．前記コメントにはパスワードの設定が可能である、請求項１に記載の団体旅行における旅行者表示システム。
４．前記団体旅行は所定の主催者によって実行され、前記画像は前記主催者が撮影する、請求項１に記載の団体旅行における旅行者表示システム。
５．前記第１領域には１枚の画像が表示される、請求項１に記載の団体旅行における旅行者表示システム。
６．前記画像に複数の旅行者が撮影されている場合は、前記第２領域は前記撮影された複数の旅行者分設けられる、上記５に記載の団体旅行における旅行者表示システム。
７．ネットワークに接続された複数のクライアントを用いて団体旅行の旅行者の旅行状況を表示するシステムに用いられるサーバであって、
前記旅行者を撮影した画像を表示する第１領域と、
前記画像に関連したコメントを表示する第２領域とを含み、
前記旅行者以外の者は前記クライアントを用いて前記第２領域に所望のコメントの書き込みが可能である、サーバ。
【図面の簡単な説明】
【図１】この発明の実施の形態にかかる団体旅行における旅行者表示システムの全体構成を示す図である。
【図２】団体旅行サーバの構成を示すブロック図である。
【図３】アップロード時の団体旅行サーバにアクセスしたときの画面表示例を示す図である。
【図４】アップロード時の団体旅行サーバにアクセスしたときの画面表示例を示す図である。
【図５】画面閲覧時の団体旅行サーバにアクセスしたときの画面表示例を示す図である。
【図６】画面閲覧時の団体旅行サーバにアクセスしたときの画面表示例を示す図である。
【図７】一枚の画像をクリックしたときの画面表示例を示す図である。
【図８】アップロード時の団体旅行サーバの処理内容を示すフローチャートである。
【図９】アップロード処理の処理内容を示すフローチャートである。
【図１０】ホームページ上への展開処理の処理内容を示すフローチャートである。
【図１１】アップロード時のデータ構成を示す図である。
【図１２】画像閲覧時の処理内容を示すフローチャートである。
【符号の説明】１１　団体旅行サーバ、１２　学校側クライアントＰＣ、１３　携帯電話、１４　デジタルカメラ、１５　クライアントＰＣ、１８　インターネット、２１　ＣＰＵ、２２　ＲＯＭ、２３　ＲＡＭ、２４　Ｉ／Ｏインターフェイス、２５　記憶装置、２６　ディスプレイ、２７　プリンタ、２８　モデム
【図１】
2004139468.tif 000003
【図２】
2004139468.tif 000004
【図３】
2004139468.tif 000005
【図４】
2004139468.tif 000006
【図５】
2004139468.tif 000007
【図６】
2004139468.tif 000008
【図７】
2004139468.tif 000009
【図８】
2004139468.tif 000010
【図９】
2004139468.tif 000011
【図１０】
2004139468.tif 000012
【図１１】
2004139468.tif 000013
【図１２】
2004139468.tif 000014